(57)【要約】【課題】  日常生活に於いて、縦向き、横向きの丸棒、パイプ、アングル等の途中位置にフック、リング等各種アイテムを取り付けようと思っても土台となる物が無い時、紐、ロープなどを使うが取り付けに時間と労力が掛かる。又、緩みやすい。【解決手段】  本発明の固定具は、帯の裏にゴムを固着し表にフック付クランプ台座３を設け、固定対象物に巻きつけ金属帯ガイド14とフック掛け穴12によってフックやリング等のアイテム取り付け用固定具が強く固定される。又、本発明の固定具を2個以上使用してボード等も固く固定できる。ハンドルの上げ下げで帯の固定,解除が素早くできる。【選択図】図3
2010227193.tif 000002
【特許請求の範囲】
【請求項１】
薄い金属帯の裏側に摩擦係数の高いゴム板等を固着し、該金属帯の表面には摩擦係数の低いシートを貼って、前記金属帯の一端の表側に複数のフックの付いたクランプ本体台座を、裏側から滑りを良くする摩擦係数の低い樹脂や金属を使ったクランプ本体台座固定プレートで、前記金属帯を挟み込み、ネジ、リベット等で固定し、前記クランプ本体台座の表側には各種アイテム取り付け用のネジ穴があり、そこに各種アイテムを取り付ける事が出来、前記金属帯の他の一端の先端を少し内側に曲げてゴム共に金属で覆い、クランプする時絞りやすくその帯幅の両淵には保持片が在り、それを手で持ちながら丸棒、パイプ、角柱、アングル等に、ゴムを内側として端から略密着させながら固定対象物の外周に巻きつけ、金属帯の長さ方向に平行で両淵付近に、前記金属帯にクランプ本体にあるフックを引っ掛ける穴が、等間隔で連続に空いていて、クランプの時にフックを最寄りの穴に引っ掛け、レバーを倒すようにクランプする時に、金属帯を外周方向に絞り込み固定体に略密着させ、固定体である締め付けられる物が、縦方向、横方向、細い物から太い物まで幅広く、ワンタッチ操作で、掛け脱出来て、固定対象物の丸棒、パイプ、角柱、アングル等に、多目的用途、アイテムに対応する取り付け用ネジが付いたクランプ本体台座を有する金属帯を、強く固定する事を特徴とした固定具。
【請求項２】
前記薄い金属帯の代わりに樹脂帯、皮、繊維、パンチメタル、金網の様なメッシュを使用し、金属帯の表側に摩擦係数の低い塗布材を付着させる事を特徴とする請求項第一項記載の固定具。
【請求項３】
前記フック付きクランプのフックを複数個付けた本体台座に在るアイテム用ネジの代わりに、クランプ本体台座と成型一体化のフックとかリング等のようにアイテムに合致した物を直接本体台座に付けることを特徴とする請求項第１項又は第２項記載の固定具。
【請求項４】
前記金属帯の任意の位置に、アイテム取り付け用ネジ穴の在る台座と台座固定プレートとで金属帯を挟み込んだ場所が、複数個所在ることを特徴とする請求項１〜３いずれか１項記載の固定具。
【発明の詳細な説明】
【技術分野】
【０００１】
本発明は、固定具に関し、縦向きや、横向きに在る棒状や、パイプ、角柱、アングル等の途中位置での固定、固定対象物の多少の径の違いにも対応、ワンタッチで掛け脱し、各種アイテムを取り付ける為の固定具に関する。
【背景技術】
【０００２】
従来の固定方法として、すでに完成された製品、例えば整理棚、台車、ベビーカー、日用品等々に物をぶら下げたり、物を取り付けたりする時、場所によってはＳ字状のフック等が使える所もあるが、外れやすく、取り付け位置も移動し変わり易い。又、製品のパイプや角柱に金属を使用してボルト、ナットで挟むように固定すると傷も付きやすく手間もかかる。大きな物として、建築物の柱、外燈、手摺等々、その場所に物をぶら下げたり、その場所に物を固定したり、ポールの在るところに広告や案内を出す時、紐とかテープで固定すると大変手間がかかる。又、ポールの様な縦の位置に固定しようとすると、紐がずれ易く品物が下がる。品物を別の位置へ固定場所を変えようとすると取り付け取り外しが難儀である。又、マジックテープ（登録商標）のワンタッチ操作で着脱式のものも有るが強い力が掛かると固定保持するのが困難である。なお、関連する文献としては、特許第３４３６９３３号等が在る。
【先行技術文献】
【特許文献】
【０００３】
【特許文献１】特許第３４３６９３３号公報
【発明の概要】
【発明が解決しようとする課題】
【０００４】
生活用品や、建造物に於いて、パイプ、角柱、アングル等の両端にフランジとか、障害物が在っても途中位置に各種アイテムを取り付けたい時、固定対象物の結束太さが不揃いの時など、固定したい物に傷を付けず、余り手間をかけず固定具を取り付けたい時などである。
【課題を解決するための手段】
【０００５】
本発明は、ステンレス鋼板の薄板のように弾力性に富んだ金属帯の裏側に、摩擦係数の高いゴムなどを固着し、表側は金属帯のままでも良いが表面を滑り結束しやすいように、摩擦係数の低い塗布材かシートを固着させその金属帯の一端の表側に、フックの付いたクランプ本体台座が在り各種アイテム取り付け用のネジ穴のある前記金属帯で、固定対象物の外周を取り巻き、金属帯の幅方向にフックの位置で等間隔、連続に空けてあるフック掛け穴にフックを掛けクランプすれば、強い結束力が発生して固定具に左右、上下、前後に負荷を与えても状態を保持する事を特徴とする。
【発明の効果】
【０００６】
本発明の固定具は、固定対象物の結束太さが小さな物から大きな物まで、固定具の大きさ、材質、帯の長さを変える事によって固定対象物に固定具の取り付けができ各種のアイテムが使える。品物が縦向き、横向きでもしっかり固定出来る。ワンタッチ操作なので今迄紐かロープで時間と労力をかけていた作業が短時間で済む。固定具に取り付けているアイテムに左右、上下、前後に力を掛けても動かないので耐荷重も大きい。本発明の固定具を２個以上使用してボード、ネット、布等を取り付ける事も出来る。用途は幅が広い利点がある。構造が簡単なので製作が容易である。
【図面の簡単な説明】
【０００７】
【図１】本発明の固定具を固定対象物の一例の丸棒に、アイテムをアイボルトにした固定具の実施の形態正面図。
【図２】本発明の固定具を固定対象物の一例の丸棒に、アイテムをアイボルトにした固定具の実施の形態の平面図。
【図３】フック付アーム９が４個所在る時の固定解除状態の本発明の固定具の斜視図。
【図４】本発明の固定具のアイテムの取り付け場所を２か所以上に増やし固定具をクランプした実施の形態の斜視図。
【発明を実施するための形態】
【０００８】
以下、本発明の実施例を図面に基づいて説明する。図１は、本発明の固定具を固定対象物の一例の丸棒に、アイテムをアイボルトにした固定具の実施の状態の正面図である。図２は、その実施状態の本発明固定具の平面図である。又、図３は、フック付アーム９が４個所在る時の固定解除状態の本発明の固定具の斜視図である。
【０００９】
本発明の固定具は、ステンレス鋼板のように、やや弾力性のある金属帯１の一端の表側にフック付アーム９のあるクランプ本体台座３があり、裏側から摩擦係数の低い樹脂又は、金属で出来たクランプ本体固定プレート５で挟み込みネジ６、リベット等で取り付ける。その横に付き合わせて、略同じ厚みでもう一方の端迄金属帯１と略同じ大きさで摩擦係数の高いゴム２等を固着させる。この時クランプ本体台座３を外側にして金属帯１の長い帯の他方の端を内側に重ね金属帯１に円周状の形の癖を付けてゴムを固着する。同じ目的で金属帯１の代わりに樹脂帯、皮、繊維でも良い。前記クランプ本体台座３の中央には、各種アイテム取り付け用のネジ穴があり、ここではアイボルト18Ｂがねじ込んでナット17でロックしてある。そのクランプ本体台座３を挟むように両端には対称の形で、クランプ用アーム７の一端がクランプ本体台座３の支軸10に支持され、そのアームの支軸10寄りにフック付アーム９とでクランプ出来る程よい位置に連結軸11が在る。ここを軸にフック付アーム９が左右に回転するように成っていて、この２つのフック付アーム９は補強材13で同調するように強く固定され、同様にハンドル８によって他方のクランプアーム７は固着されていて、支軸10によってクランプは上下に動く。
【００１０】
前記金属帯１の両淵近くに、金属帯１の長さ方向に平行でフック付アーム９のフック20と容易に掛け脱出来るフック掛け穴12を同じピッチで連続して開ける。図３のようにフック付アーム９の数だけ穴の開いている列を作り、整列されたフック20とどの固定位置でも各々のフック20が掛け脱出来るように、フック掛け穴12を金属帯１の表面に固着の摩擦係数の低いシートと共に開ける。又は、事前にフック掛け穴12の開く付近の金属帯１の厚みを増し補強固着してから穴を開ける。
【００１１】
該金属帯１にクランプ本体台座３を取り付けている反対側の帯の端には、金属、又は、樹脂で金属帯１とゴム２の端を金属帯ガイド14で挟み込み固着し、その両端には金属帯1を重ねた時、帯幅方向へのズレ止めの保持片15を設け、帯を絞る時保持片15を手で持って固定対象物に巻きつけるように奥の方へ引っ張る。保持片を金属帯１の厚みの分より少し多めに外側に出しておけば帯が重なるところの帯ズレを抑える事が出来る。前記フック付アーム９に在るフック20は、先端滑らかでクランプした時外れないように力が掛かる側のフック20に窪みがあり、金属帯１に等間隔で連続に在るフック掛け穴12に容易に掛け、金属帯１の内側に在るゴム２の厚さよりフック20の掛かっている部分が短く固定対象物にキズを付けない様にし、クランプ７のハンドル８を倒すようにクランプしてフック20の掛かっている金属帯を引き寄せ、固定対象物の丸棒19を絞るように固定し、各種のアイテムを取り付ける固定具。
【００１２】
図４の様に、本発明の固定具のアイテムの取り付け場所を２か所以上に増やした固定具であって、例えば大きな柱の胴回りにクランプ付本体台座３の他にアイテム取り付け用台座16を設けた金属帯１で取り巻きフックとかアイボルトなどその場に合ったアイテムを取り付ける事が出来る。
【産業上の利用可能性】
【００１３】
本発明の固定具は、日用品や、建造物等の固定対象物の断面が、丸、三角、四角、アングル等色々な形で、縦向き、横向きであっても、金属帯の長さの範囲内で固定対象物の太さにバラツキがあっても、それを結束し固定具を固定させフック、リング等各種アイテムを取り付ける事が出来る。固定具をワンタッチで掛け脱出来るので、作業が楽で、便利である。
【符号の説明】
【００１４】
１  金属帯                            ２  ゴム
３  クランプ本体台座                  ４  ネジ穴
５  クランプ本体台座取り付けプレート  ６  ネジ
７  クランプ用アーム                  ８  ハンドル
９  フック付アーム                    10  支軸
11  連結軸                            12  フック掛け穴
13  補強材                            14  金属帯ガイド
15  保持片                            16  アイテム取り付け用台座
17  ナット                            18Ａフックボルト
18Ｂアイボルト                        19  丸棒（固定対象物）
20  フック                            21アイテム用台座固定プレート
【図１】
2010227193.tif 000003
【図２】
2010227193.tif 000004
【図３】
2010227193.tif 000005
【図４】
2010227193.tif 000006